(57)【要約】【課題】日常の生活動作である引き戸の開閉動作において、引き戸の開閉に負荷を付与することにより、生活をしながら腕の筋力低下を抑制することが可能な引き戸を提供すること。【解決手段】戸車２を上部に備えた引戸であって、引き戸１本体内部に、戸車の回転に負荷を付与する回転制御手段４と、戸車の回転に付与される負荷を段階的に調整可能とする負荷調整手段３が設けられている。【選択図】図１
2017122362.tif 000002
【特許請求の範囲】
【請求項１】
戸車を上部に備えた引戸であって、
引き戸本体内部に、前記戸車の回転に負荷を付与する回転制御手段と、
前記戸車の回転に付与される負荷を段階的に調整可能とする負荷調整手段が設けられていることを特徴とする引き戸。
【請求項２】
前記回転制御手段は、負荷調整手段に連結された荷重可変用回転部を有することを特徴とする請求項１に記載の引き戸。
【請求項３】
前記負荷調整手段が、前記戸車に連結されたギヤ機構を有するとともに、前記回転制御手段が、前記ギヤ機構の連結状態を制御するための調整用部材を有することを特徴とする請求項１又は２に記載の引き戸。
【発明の詳細な説明】
【技術分野】
【０００１】
本発明は、引き戸に関する。
【背景技術】
【０００２】
従来より、戸車を上部に取り付けた上吊式の引戸が知られている。
【０００３】
この上吊式の引き戸は、施工性に優れ、建物内の部屋を簡単に仕切ることができるため、リフォーム等の部屋仕切り部材として広く用いられている。また、天井から懸垂して引き戸の下部が床に接地しない状態で開閉可能であり、必ずしも床にレールを設置する必要がなく、バリアフリーとすることができるため、特に高齢者用住宅に多く採用されている。
【０００４】
このような特徴を有する上吊式の引き戸では、近年、種々の機能を付与したものが提案されている。具体的には、例えば、開いた引き戸を自動的に閉める自動閉鎖装置を設けた引き戸や（特許文献１を参照）、部分的にストッパを設けて、引き戸を一時的に開状態又は閉状態で保持させる機能を付与した引き戸（特許文献２を参照）等が知られている。
【０００５】
一方、近年の高齢化社会においては、骨、関節、筋肉や神経で構成される運動器の障害のために移動機能の低下をきたして介護が必要になったり、その可能性が高くなった状態となる所謂ロコモティブシンドローム（運動器症候群）が社会的な問題となっている。
【０００６】
そして、このような状態にならないようにするとともに、健康寿命といわれる健康上の問題がない状態で日常生活を送れる期間を延ばすために、日常の生活動作の中に軽い運動を取り入れて、筋力の低下を抑制するという予防方法が提唱されている。
【０００７】
また、このような予防の実現においては、日常生活の中で、できるだけ意識せず自然に運動をしている環境を作ることが非常に重要であり効果的であるとされている。
【０００８】
日常生活の中で自然に実施可能な軽い運動としては、例えば、階段の上り下りや扉、引き戸等の開閉動作等が挙げられる。
【先行技術文献】
【特許文献】
【０００９】
【特許文献１】実開昭６１−９５８８０号公報
【特許文献２】特開２０００−６４６９８号公報
【発明の概要】
【発明が解決しようとする課題】
【００１０】
このような状況において、引き戸の開閉動作を日常生活の中の運動として取り入れようとした場合、例えば、前記特許文献１に記載の自動閉鎖装置を設けた引き戸を用いた場合、開時の負荷を付与する機構ではないため、日常的な運動に用いられるものではなかった。
【００１１】
また、特許文献２に記載されているような、部分的にストッパを設けて負荷をかける構造においても、一時的に引き戸の開又は閉状態を保持することを考慮したものであり、引き戸の開閉時の負荷を日常的な運動とすることができるものではなかった。
【００１２】
本発明は、上記従来の問題点に鑑みてなされたものであり、日常の生活動作である引き戸の開閉動作において、引き戸の開閉に負荷を付与することにより、生活をしながら腕の筋力低下を抑制することが可能な引き戸を提供することを課題とする。
【課題を解決するための手段】
【００１３】
本発明は、上記の課題を解決するために、以下のことを特徴としている。
【００１４】
すなわち、本発明の引き戸は、戸車を上部に備えた引戸であって、引き戸本体内部に、前記戸車の回転に負荷を付与する回転制御手段と、前記戸車の回転に付与される負荷を段階的に調整可能とする負荷調整手段が設けられていることを特徴とする。
【発明の効果】
【００１５】
本発明によれば、日常の生活動作である引き戸の開閉動作において、引き戸の開閉に負荷を付与することにより、生活をしながら腕の筋力低下を抑制することが可能な引き戸を提供することができる。
【図面の簡単な説明】
【００１６】
【図１】本発明の引き戸の内部構造を示す一部切欠斜視図である。
【図２】図１を戸当たり方向から臨んだ概略断面図である。
【図３】軸部材と戸車の車軸にギヤ戸車連結ベルトが装架された状態を示す概略断面図である。
【図４】負荷調整手段の概略断面図である。
【図５】負荷の段階的な調整の状態を示す概略断面図ある。
【発明を実施するための形態】
【００１７】
本発明の引き戸について、図面に基づいて以下に実施の形態について詳述する。図１は、本発明の引き戸の内部構造を示す一部切欠斜視図であり、図２は図１を戸当たり方向から臨んだ概略断面図である。
【００１８】
図１及び図２に示すように、引き戸１は、戸車２を上部に備えた引戸であって、引き戸１本体内部に、戸車２の回転に負荷を付与する回転制御手段４と、戸車２の回転に付与される負荷を段階的に調整可能とする負荷調整手段３を備えている。
【００１９】
より具体的には、本実施形態の引き戸１は、外枠上部に配設されたレール１１と、レール１１に沿って走行可能な戸車２と、戸車２の下部に接続された上吊り式の引き戸１を備えている。
【００２０】
外枠上部に設けられたレール１１は、下部にスリット状開口部１２を有しており、２列のレール１１上には各レール１１を跨ぐように左右２輪ずつ計４輪の車輪を有する戸車２が移動可能に配置されている。
【００２１】
戸車２の下部には、２列のレール１１のスリット状開口部１２を通して連結部材２１により引き戸１が戸車２から吊下げられるように懸架されている。すなわち、引き戸１は、レール１１上に配置された戸車２の走行によってスムーズに開閉することができる。
【００２２】
引き戸１の内部には負荷調整手段３が戸車２と連結されて設けられており、回転制御手段４が負荷調整手段３と連結されて設けられている。
【００２３】
負荷調整手段３は、ギヤ比の異なる複数のギヤ３１が軸部材３２により一体に軸支されたギヤ機構３０を備えている。そして、軸部材３２は引き戸１内の縦支柱１４に回転自在に固定されており、図３にも示すように、軸部材３２と戸車２の車軸２２とにギヤ戸車連結ベルト３３が装架されている。これにより、戸車２の移動に伴って軸部材３２を含むギヤ機構３０全体が回転するようになっている。なお、ギヤ戸車連結ベルト３３は、２列のレール１１間のスリット状開口部１２及び引き戸１上部枠に開口した開口部１３を通って戸車２の車軸とギヤ機構３０の軸部材３２に装架され、抵抗なく回転するようになっている。
【００２４】
ギヤ比の異なる複数のギヤ３１は、ギヤ戸車連結ベルト３３が確実に装架可能なものであれば特に限定されるものではなく、例えば、外周に平歯車を有するギヤや、スプロケット等の一般に公知のギヤを用いることができる。
【００２５】
また、ギヤ戸車連結ベルト３３は、戸車２と負荷調整手段３を確実に連結できるものであれば特に限定されるものではなく、例えば、ゴムベルト、樹脂ベルト、Ｖベルト、平ベルト、ローラーチェーン等を用いることができる。
【００２６】
回転制御手段４は、荷重可変用回転部４１と、荷重可変用回転部４１を軸支する回転部移動軸４３と、回転部移動軸４３に接続された紐状部材４５及び紐状部材４５の先端に接続された錘４６を備えている。
【００２７】
荷重可変用回転部４１は、円板状の部材であり、荷重可変用回転部４１の外周と、ギヤ機構３０のギヤ３１に装架されたギヤ駆動ベルト４２により連結されている。また、荷重可変用回転部４１を軸支する回転部移動軸４３は、荷重可変用回転部４１の回転に伴って回転するようになっている。
【００２８】
荷重可変用回転部４１は、外周にギヤ駆動ベルト４２が噛み合う形状のものであれば特に限定されるものではなく、ギヤ機構３０のギヤ３１と同様の形状のものを用いることができる。
【００２９】
ギヤ駆動ベルト４２は、回転制御手段４と負荷調整手段３を確実に連結できるものであれば特に限定されるものではなく、ギヤ戸車連結ベルト３３と同様のものを用いることができる。
【００３０】
また、回転部移動軸４３には紐状部材４５の一端部が固定されており、紐状部材４５の他端部には錘４６が取り付けられ、紐状部材４５は滑車４７を介して張った状態で架けられている。
【００３１】
紐状部材４５は強度を有し、回転部移動軸４３に巻きつく柔軟性を有する長尺の部材であれば特に制限なく、例えば、金属ワイヤー、合成樹脂製の紐、細幅状のベルト等を用いることができる。
【００３２】
上記本実施形態の引き戸１によれば、戸車２の移動に伴って戸車２に連結されたギヤ機構３０が回転し、ギヤ機構３０に連結された荷重可変用回転部４１が回転する。そして、荷重可変用回転部４１の回転に伴って回転部移動軸４３も回転し、回転部移動軸４３に取付けられた紐状部材４５が回転部移動軸４３に巻きつき、滑車４７を介して先端に設けられた錘４６が引き上がる。
【００３３】
これにより、錘４６の重みが間接的に戸車２の移動を抑制し、引き戸１の開閉動作の負荷とすることができる。このように、引き戸１の開閉時の基本的な負荷は錘４６の重量により決定されるため、錘４６の重量は、設定する引き戸１の負荷最大値を考慮して決定する。
【００３４】
また、本実施形態の引き戸１によれば、上記で説明した負荷調整手段３により、引き戸１の開閉動作の負荷を段階的に調整することができる。
【００３５】
具体的には、負荷の段階的な調整は、負荷調整手段３のギヤ比が異なる複数のギヤ３１を備えたギヤ機構３０と、回転制御手段４の荷重可変用回転部４１とのギヤ駆動ベルト４２の連結状態の変更により行われる。
【００３６】
ギヤ機構３０と荷重可変用回転部４１との連結は、ギヤ機構３０を構成するギヤ比が異なる複数のギヤ３１の内の一枚と、荷重可変用回転部４１の外周とがギヤ駆動ベルト４２により連結された状態となっている。
【００３７】
ギヤ機構３０の複数のギヤ３１の枚数は特に限定されるものではなく、負荷の調整段階の設計に応じて適宜決定することができるが、引き戸１の厚み制限等から４枚程度が考慮される。また、其々のギヤ３１のギヤ比も使用状況に応じて適宜決定することができる。
【００３８】
なお、一般的な７０代高齢者の最大発揮力の平均が４２Ｎ程度であることを考慮して、その最大発揮力の約５０％程度である２０Ｎ程度を引き戸１の開時の負荷最大値に設定することが望ましい。
【００３９】
図４に、本実施形態の負荷調整手段３の概略断面図を示す。
【００４０】
本実施形態の引き戸１において、荷重可変用回転部４１と回転部移動軸４３の接合部は、回転部移動軸４３の軸上に雄ねじ部４３１が形成されており、荷重可変用回転部４１の中心には雄ねじ部４３１と螺合する雌ねじ部４１１が形成されている。
【００４１】
また、回転部移動軸４３の一端は引き戸１の表面に突出しており、突出した部分に手動で回転部移動軸４３を回転可能とする調整用部材４４が設けられている。調整用部材４４としては回転部移動軸４３を回転できるものであれば特に制限はなく、例えば、調整用つまみや調整用ハンドル等を挙げることができる。
【００４２】
また、回転部移動軸４３の調整用部材４４が設けられていない他端は、引き戸１内の縦支柱１４に設けられた上下にスライド可能なスライド部材４８に固定されており、スライド部材４８は縦支柱１４の下部と引きばね４９により接続されている。
【００４３】
この構造により、スライド部材４８に保持された回転部移動軸４３及び回転部移動軸４３に軸支された荷重可変用回転部４１は、スライド部材４８が下方に引っ張られることにより、同様に下方に引っ張られた状態となる。すなわち、ギヤ機構３０と荷重可変用回転部４１とのギヤ駆動ベルト４２による連結状態において、荷重可変用回転部４１が下方に引っ張られるため、ギヤ駆動ベルト４２は常にテンションが掛った状態となっている。
【００４４】
上記の構造の本実施形態の引き戸１における負荷の段階的な調整の機序について図５（Ａ）（Ｂ）（Ｃ）を用いて詳細に説明する。
【００４５】
この実施形態では、ギヤ機構３０がギヤ比が高い第４ギヤ３１ａからギヤ比が低い第１ギヤ３１ｄを備えた４枚の仕様であり、初期状態の図５（Ａ）では、第３ギヤ３１ｂにギヤ駆動ベルト４２が装架されており荷重可変用回転部４１と連結された状態となっている。
【００４６】
まず、図５（Ａ）の初期状態から、引き戸１が移動していない状態で、引き戸１表面に突出した調整用部材４４を操作して右回転し、調整用部材４４に接続された回転部移動軸４３を右回転させる。すると、荷重可変用回転部４１は、回転部移動軸４３に形成された雄ねじ部４３１に螺合した雌ねじ部４１１により前方向（図面右方向）に移動する（図５（Ｂ））。なお、この場合、荷重可変用回転部４１に間接的に接続されている戸車２が停止している状態であるため、荷重可変用回転部４１は回転せず前方向に移動させることができる。
【００４７】
図５（Ｂ）に示す移動後の状態では、荷重可変用回転部４１は前方向の第１ギヤ３１ｄの下まで移動している。
【００４８】
そして、図５（Ｂ）に示す状態で引き戸１を開閉動作して戸車２を動かすと、ギヤ機構３０の回転及び引きばね４９による荷重可変用回転部４１の下方の引張により第３ギヤ３１ｂに掛っていたギヤ駆動ベルト４２は第１ギヤ３１ｄに移動する（図５（Ｃ））。これにより、荷重可変用回転部４１とギヤ機構３０の連結状態を比較的ギヤ比の高い第３ギヤ３１ｂからギヤ比の低い第１ギヤ３１ｄに変更させることができる。
【００４９】
すなわち、前記の錘４６の重量に伴う荷重可変用回転部４１に掛る回転負荷は、ギヤ機構３０のギヤ比を変更させることにより調整され、ギヤ機構３０に接続された戸車２の回転抵抗、引き戸１の開抵抗を軽く調整することが可能となる。
【００５０】
なお、図５（Ａ）（Ｂ）（Ｃ）では、第３ギヤ３１ｂから第１ギヤ３１ｄに変更して、引き戸１の抵抗を軽く設定変更する例で説明したが、調整用部材４４を左方向に操作することにより、ギヤ比の高い第４ギヤ３１ａに変更して重く調整することも可能である。
【００５１】
上記の構成を有する本発明の引き戸１によれば、日常の生活動作である引き戸１の開閉動作において、引き戸１の開閉に負荷を付与することにより、生活をしながら腕の筋力低下を抑制することが可能となる。
【００５２】
以上、本発明の引き戸１を一実施形態に基づいて説明したが、本発明は上記の実施形態に限定されるものではなく、その要旨を逸脱しない範囲内において種々の変形、変更が可能である。
【００５３】
例えば、上記実施形態では、回転部移動軸４３をスライド部材４８に固定し、スライド部材４８を縦支柱１４の下部と引きばね４９により接続しているが、スライド部材４８の下部に錘を接続したり、スライド部材４８自体を重量のある部材とすることもできる。これにより、部品点数を減らすことができ、メンテナンス性を向上させることができる。
【符号の説明】
【００５４】
１  引き戸
２  戸車
３  負荷調整手段
３０  ギヤ機構
４  回転制御手段
４４  調整用部材
【図１】
2017122362.tif 000003
【図２】
2017122362.tif 000004
【図３】
2017122362.tif 000005
【図４】
2017122362.tif 000006
【図５】
2017122362.tif 000007